(57)【特許請求の範囲】
【請求項１】
座部を備えた椅子本体と、前記椅子本体に取り付けられた譜面台・メモ台ユニットと、前記座部の下部に取付けられ、前記譜面台・メモ台ユニットと前記椅子本体とを連結し、前記座部における着座位置前後方向に対する左右方向を回動中心として、前記譜面台・メモ台ユニットを回動させる第１の回動機構部とを備え、
前記譜面台・メモ台ユニットは、前記第１の回動機構部を介して前記椅子本体に取り付けられた支持部と、前記支持部によって支持され、前記座部における着座位置前後方向に対して左右方向に延在する軸体を有する第２の回動機構部と、前記軸体を回動中心として回動する譜面台・メモ台用板とを有し、
前記譜面台・メモ台用板は、その端部が前記第２の回動機構部に取付けられ、メモ台として使用する一の面と、譜面固定手段を備えた他の面とを具備し、
前記第１の回動機構部は、前記譜面台・メモ台用板が前記座部よりも上側であって前記着座位置の前方の領域に延在して固定される使用位置と、前記譜面台・メモ台用板が前記着座位置の後方の領域に延在して固定される収納位置とを有し、
前記第１の回動機構部が前記譜面台・メモ台ユニットを前記使用位置で固定する場合に、前記第２の回動機構部は、前記譜面台・メモ台用板がその回動中心に対して座部方向に延在して固定される位置であって、前記譜面台・メモ台用板が実質的に水平姿勢に保持され前記一の面が上向きになる位置である第１の固定位置と、前記譜面台・メモ台用板がその回動中心に対して前記座部方向とは反対方向に延在して固定される位置であって、その回動中心よりも上側の領域において前記譜面台・メモ台用板が傾斜姿勢に保持され前記他の面が前記座部側に向く位置である第２の固定位置とを有し、
前記第１の回動機構部が前記譜面台・メモ台ユニットを前記収納位置で固定する場合に、前記譜面台・メモ台用板の回動中心よりも下側の領域において、前記譜面台・メモ台用板が垂直姿勢となることを特徴とする椅子。
【請求項２】
座部を備えた椅子本体と、前記椅子本体に取り付けられた譜面台・メモ台ユニットと、前記座部の下部に取付けられ、前記譜面台・メモ台ユニットと前記椅子本体とを連結し、前記座部における着座位置前後方向に対する左右方向を回動中心として、前記譜面台・メモ台ユニットを回動させる第１の回動機構部とを備え、
前記譜面台・メモ台ユニットは、前記第１の回動機構部を介して前記椅子本体に取り付けられた支持部と、前記座部における着座位置前後方向に対する左右方向を回動中心として回動する譜面台・メモ台用板とを有し、
前記譜面台・メモ台用板は、その端部が、前記支持部によって支持された第２の回動機構部に取付けられ、メモ台として使用する一の面と、譜面固定手段を備えた他の面とを具備し、
前記第１の回動機構部は、前記譜面台・メモ台用板が前記座部よりも上側であって前記着座位置の前方の領域に延在して固定される使用位置と、前記譜面台・メモ台用板が前記着座位置の後方の領域に延在して固定される収納位置とを有し、
前記第１の回動機構部が前記譜面台・メモ台ユニットを前記使用位置で固定する場合に、前記第２の回動機構部は、前記譜面台・メモ台用板がその回動中心に対して座部方向に延在して固定される位置であって、前記譜面台・メモ台用板が実質的に水平姿勢に保持され前記一の面が上向きになる位置である第１の固定位置と、前記譜面台・メモ台用板がその回動中心に対して前記座部方向とは反対方向に延在して固定される位置であって、その回動中心よりも上側の領域において前記譜面台・メモ台用板が傾斜姿勢に保持され前記他の面が前記座部側に向く位置である第２の固定位置とを有し、
前記第１の回動機構部が前記譜面台・メモ台ユニットを前記収納位置で固定する場合に、前記譜面台・メモ台用板の回動中心よりも下側の領域において、前記譜面台・メモ台用板が垂直姿勢となることを特徴とする椅子。
【請求項３】
前記椅子本体における着座位置の後方に背凭れ部が備えられ、
前記第１の回動機構部が前記譜面台・メモ台ユニットを前記収納位置で固定する場合に、前記背凭れ部に対して前記座部方向とは反対方向の領域において、前記譜面台・メモ台用板が垂直姿勢となることを特徴とする請求項１または請求項２記載の椅子。
【請求項４】
前記第１の回動機構部は、前記譜面台・メモ台ユニットの回動中心よりも上側の領域における前記使用位置と前記収納位置との間を、前記譜面台・メモ台ユニットの回動範囲として設定し、
前記第２の回動機構部は、前記譜面台・メモ台用板の回動中心よりも上側の領域における前記第１の固定位置と前記第２の固定位置との間を、前記譜面台・メモ台用板の回動範囲として設定し、
前記第１の回動機構部が前記譜面台・メモ台ユニットを前記収納位置で固定する場合に、前記譜面台・メモ台用板の回動中心よりも下側の領域において、前記譜面台・メモ台用板の回動範囲内にある前記譜面台・メモ台用板が垂直姿勢となることを特徴とする請求項１〜３のいずれか１項に記載の椅子。
【発明の詳細な説明】
【技術分野】
【０００１】
本発明は、椅子に係り、特に、椅子に座った状態で演奏する楽器の講習等において使用する椅子に関する。
【背景技術】
【０００２】
椅子に座った状態で演奏する楽器として、リコーダー、ホルン等の楽器が存在する。これらの楽器を演奏する場合、一般的には、椅子の前に譜面台を設け、演奏する楽譜の譜面等を譜面台の譜面受に載せ、この譜面台の譜面等を演奏者が見ながら演奏することが多い。
【０００３】
また、たとえば、中学校の音楽の授業においてリコーダーを演奏する場合には、指の動かし方や楽譜等が記載された教材を机に載せ、生徒が椅子に座った状態でリコーダーを手に持ち、先生の指示に従い、机の上の教材を見ながら、リコーダーを演奏する場合が多い。このようにして演奏する場合には、机の上に置かれた教材を見ながら演奏することになるので、演奏中には顔が下向きになり、リコーダーの演奏をし難い場合がある。この場合に、リコーダーの演奏を効率的に行うことができず、したがって、授業を効率的に行えないという問題がある。
【０００４】
この問題を解決するために、上記で示すように、机の代わりに、リコーダーの演奏の邪魔にならないように椅子からある程度離れた位置に譜面台を設け、この譜面台の譜面受に教材を載せ、先生の指示に従い、この譜面台の教材を見ながら生徒がリコーダーを演奏することが考えられる。
【０００５】
ところで、生徒が授業を受けている場合には、授業中に先生が話した内容を忘れないようにするため、その内容を教材に書き込むことが多い。たとえば、教材を載せた譜面台を椅子の前に設け、リコーダーの授業を生徒が受けている場合において、その教材に生徒が書き込みをする場合、椅子からある程度離れた位置に譜面台が設けられているので、体を前方に傾けて書き込みをする必要がある。
【０００６】
このため、椅子と譜面台とを使用したリコーダーの授業において、譜面台に載せられた教材に生徒が書き込みをする場合には、教材へ正確に字を書き込むために、椅子に座っている生徒の方向に譜面台を移動させ、教材に書き込みをすることが考えられる。この場合には、書き込みをする度に譜面台を移動しなければならないので、この移動作業が煩雑であるという問題がある。ただし、このように譜面台を移動した場合であっても、譜面台に載せられた教材が傾斜しているので、教材へ正確に字を書き込めない場合があるという問題がある。
【０００７】
また、譜面台は、譜面等を載せるためのものであるので、それ以上の力が加わると、不安定になり、譜面台が揺れることが多い。そのため、譜面台に載せられた教材に書き込みをする場合、この書き込みの際に加わる力によって譜面台が揺れてしまい、教材へ正確に字を書き込めない場合があるという問題がある。
【０００８】
このため、椅子と譜面台とを使用したリコーダーの授業において、譜面台に載せられた教材に生徒が書き込みをする場合には、教材が揺れないようにするために、譜面台を手で押えながら教材に書き込みをすることが考えられる。この場合には、書き込みをする度に譜面台を手で抑えなければならないので、この譜面台を手で押さえる作業が煩雑であるという問題がある。
【０００９】
なお、書き込みをする教材を譜面台から膝の上に置き、教材を膝の上に置いた状態で教材に書き込みをすることが考えられる。この場合、膝の上に置かれた教材へ書き込む際に無理な姿勢になると共に、膝の上に置かれた教材が不安定になる場合が多いので、教材へ正確に字を書き込めない場合があるという問題がある。
【００１０】
上記問題を解決するための椅子として、特許文献１には、人が椅子に座った場合における前部の位置に、物を置くための台を設け、この台に開閉可能な書類立てを取り付けた折り畳み式の椅子が開示されている。この椅子を使用し、教材に書き込みをする場合に、書類立てを閉じた状態の台に教材を載せ、この台の上に載せた教材に書き込みをすることができる。また、教材を見ながらリコーダーを演奏する場合には、書類立てを開け、書類立てに教材を置き、書類立てに置かれた教材を見ながら、リコーダーを演奏することができる。
【特許文献１】意匠登録第１１７８１９３号公報
【発明の開示】
【発明が解決しようとする課題】
【００１１】
たとえば、椅子に座っている人がリコーダーを手に持った状態で演奏する場合、演奏中のリコーダーの可動範囲内に障害となるような物が存在すると、リコーダーがその物に当らないように気を付けながら演奏しなければならないので、演奏練習の効率が悪くなる。ところで、特許文献１に記載の折り畳み式の椅子には、リコーダーの演奏中にその可動範囲内になる部分に、物を置くための台が設けられている。このため、特許文献１に記載の折り畳み式の椅子を使用してリコーダーを演奏する場合、この台が演奏中に邪魔になり、演奏練習の効率が悪いという新たな問題が生じる。
【００１２】
本発明は、座った状態で演奏する楽器の講習等を受講する場合において、前記講習等の教材に講習の内容を書き込む場合には書き込みがし易く、また、上記教材を見ながら演奏をする場合には演奏をし易い椅子を提供することを目的とする。
本発明は、座った状態で演奏する楽器の講習等を受講する場合において、演奏練習の効率を高めることができる椅子を提供することを目的とする。
【課題を解決するための手段】
【００１３】
本発明は、座部を備えた椅子本体と、前記椅子本体に取り付けられた譜面台・メモ台ユニットと、前記座部の下部に取付けられ、前記譜面台・メモ台ユニットと前記椅子本体とを連結し、前記座部における着座位置前後方向に対する左右方向を回動中心として、前記譜面台・メモ台ユニットを回動させる第１の回動機構部とを備え、前記譜面台・メモ台ユニットは、前記第１の回動機構部を介して前記椅子本体に取り付けられた支持部と、前記支持部によって支持され、前記座部における着座位置前後方向に対して左右方向に延在する軸体を有する第２の回動機構部と、前記軸体を回動中心として回動する譜面台・メモ台用板とを有し、前記譜面台・メモ台用板は、その端部が前記第２の回動機構部に取付けられ、メモ台として使用する一の面と、譜面固定手段を備えた他の面とを具備し、前記第１の回動機構部は、前記譜面台・メモ台用板が前記座部よりも上側であって前記着座位置の前方の領域に延在して固定される使用位置と、前記譜面台・メモ台用板が前記着座位置の後方の領域に延在して固定される収納位置とを有し、前記第１の回動機構部が前記譜面台・メモ台ユニットを前記使用位置で固定する場合に、前記第２の回動機構部は、前記譜面台・メモ台用板がその回動中心に対して座部方向に延在して固定される位置であって、前記譜面台・メモ台用板が実質的に水平姿勢に保持され前記一の面が上向きになる位置である第１の固定位置と、前記譜面台・メモ台用板がその回動中心に対して前記座部方向とは反対方向に延在して固定される位置であって、その回動中心よりも上側の領域において前記譜面台・メモ台用板が傾斜姿勢に保持され前記他の面が前記座部側に向く位置である第２の固定位置とを有し、前記第１の回動機構部が前記譜面台・メモ台ユニットを前記収納位置で固定する場合に、前記譜面台・メモ台用板の回動中心よりも下側の領域において、前記譜面台・メモ台用板が垂直姿勢となることを特徴とする椅子である。
【００１４】
本発明は、座部を備えた椅子本体と、前記椅子本体に取り付けられた譜面台・メモ台ユニットと、前記座部の下部に取付けられ、前記譜面台・メモ台ユニットと前記椅子本体とを連結し、前記座部における着座位置前後方向に対する左右方向を回動中心として、前記譜面台・メモ台ユニットを回動させる第１の回動機構部とを備え、前記譜面台・メモ台ユニットは、前記第１の回動機構部を介して前記椅子本体に取り付けられた支持部と、前記座部における着座位置前後方向に対する左右方向を回動中心として回動する譜面台・メモ台用板とを有し、前記譜面台・メモ台用板は、その端部が、前記支持部によって支持された第２の回動機構部に取付けられ、メモ台として使用する一の面と、譜面固定手段を備えた他の面とを具備し、前記第１の回動機構部は、前記譜面台・メモ台用板が前記座部よりも上側であって前記着座位置の前方の領域に延在して固定される使用位置と、前記譜面台・メモ台用板が前記着座位置の後方の領域に延在して固定される収納位置とを有し、前記第１の回動機構部が前記譜面台・メモ台ユニットを前記使用位置で固定する場合に、前記第２の回動機構部は、前記譜面台・メモ台用板がその回動中心に対して座部方向に延在して固定される位置であって、前記譜面台・メモ台用板が実質的に水平姿勢に保持され前記一の面が上向きになる位置である第１の固定位置と、前記譜面台・メモ台用板がその回動中心に対して前記座部方向とは反対方向に延在して固定される位置であって、その回動中心よりも上側の領域において前記譜面台・メモ台用板が傾斜姿勢に保持され前記他の面が前記座部側に向く位置である第２の固定位置とを有し、前記第１の回動機構部が前記譜面台・メモ台ユニットを前記収納位置で固定する場合に、前記譜面台・メモ台用板の回動中心よりも下側の領域において、前記譜面台・メモ台用板が垂直姿勢となることを特徴とする椅子である。
【００１５】
本発明は、前記椅子本体における着座位置の後方に背凭れ部が備えられ、前記第１の回動機構部が前記譜面台・メモ台ユニットを前記収納位置で固定する場合に、前記背凭れ部に対して前記座部方向とは反対方向の領域において、前記譜面台・メモ台用板が垂直姿勢となることを特徴とする椅子である。
本発明は、前記第１の回動機構部は、前記譜面台・メモ台ユニットの回動中心よりも上側の領域における前記使用位置と前記収納位置との間を、前記譜面台・メモ台ユニットの回動範囲として設定し、前記第２の回動機構部は、前記譜面台・メモ台用板の回動中心よりも上側の領域における前記第１の固定位置と前記第２の固定位置との間を、前記譜面台・メモ台用板の回動範囲として設定し、前記第１の回動機構部が前記譜面台・メモ台ユニットを前記収納位置で固定する場合に、前記譜面台・メモ台用板の回動中心よりも下側の領域において、前記譜面台・メモ台用板の回動範囲内にある前記譜面台・メモ台用板が垂直姿勢となることを特徴とする椅子である。
【発明の効果】
【００１６】
本発明によれば、座った状態で演奏する楽器の講習等を受講する場合において、前記講習等の教材に講習の内容を書き込む場合には書き込みがし易く、また、上記教材を見ながら演奏をする場合には演奏をし易いという効果を奏する。
つまり、本発明によれば、座った状態で演奏する楽器の講習等を受講する場合において、演奏練習の効率を高めることができるという効果を奏する。
【発明を実施するための最良の形態】
【００１７】
以下、本発明の実施の形態である椅子について、図面を参照して詳細に説明する。
【００１８】
［第１の実施の形態］
図１〜３は、本発明の第１の実施の形態である椅子Ｃ１の外観を示す斜視図である。図１は、譜面台・メモ台ユニット２０を譜面台として使用する場合における椅子Ｃ１の外観を示す斜視図であり、図２、３は、譜面台・メモ台ユニット２０をメモ台として使用する場合における椅子Ｃ１の外観を示す斜視図である。
【００１９】
椅子Ｃ１は、椅子本体１０と、椅子本体１０に取り付けられた譜面台・メモ台ユニット２０とを有する。
【００２０】
椅子本体１０は、金属製のパイプによって略コの字型に形成された右側脚部１１と、右側脚部１１と同様に形成された左側脚部１２と、座部１３と、背凭れ部１４とを有する。右側脚部１１には、金属製のパイプ１１ｃが設けられ、左側脚部１２には、金属製のパイプ１２ｃが設けられている。
【００２１】
座部１３は、右側脚部１１と左側脚部１２とを接続する金属製のパイプであって前後に平行に配置された前側パイプ１３ａと後側パイプ１３ｂとに支持されている。また、座部１３は、前側パイプ１３ａと後側パイプ１３ｂとに取り付けられたプラスチック製の座板１３ｃと、座板１３ｃの表面を覆うクッション１３ｄとで構成されている。
【００２２】
背凭れ部１４は、右側脚部１１の上端部１１ａに取り付けられた略Ｌ字型の金属製のパイプ１４ａと、左側脚部１２の上端部１２ａに取り付けられた略Ｌ字型の金属製のパイプ１４ｂとに支持されている。また、背凭れ部１４は、金属製のパイプ１４ａと１４ｂとの上端部に取り付けられたプラスチック製の背凭れ板１４ｃと、背凭れ板１４ｃの表面を覆うクッション１４ｄとで構成されている。
【００２３】
譜面台・メモ台ユニット２０は、椅子本体１０に取り付けられた（固着された）アーム２２と、アーム２２によって支持され、座部１３における着座位置前後方向に対して左右方向に延在するパイプ２３３を有する回動機構部２３と、回動機構部２３に取付けられ、パイプ２３３を回動中心として回動する譜面台・メモ台用板２１ｂとを有する。また、譜面台・メモ台ユニット２０は、椅子本体１０に取り付けられた（固着された）アーム２２と、アーム２２によって支持された回動機構部２３に取付けられ、座部１３における着座位置前後方向に対する左右方向を回動中心として回動する譜面台・メモ台用板２１ｂとを有する。
【００２４】
アーム２２を介して設置される譜面台・メモ台２１は、図１〜３に示すように、椅子Ｃ１の座部１３に人が座った場合に、その人の正面に位置する場所に設ける。具体的には、譜面台・メモ台２１をメモ台として使用する場合には、譜面台・メモ台２１に載せられた教材等に座部１３に座った人が書き込みし易い姿勢になる位置である。一方、譜面台・メモ台２１を譜面台として使用する場合には、座部１３に座った人が譜面台・メモ台２１に載せられた譜面等を演奏中に見易い位置に、譜面台・メモ台２１を設ける。
【００２５】
図４は、譜面台・メモ台ユニット２０において、譜面台・メモ台２１を取り外した場合における回転機構部２３の詳細を示す分解斜視図である。
【００２６】
譜面台・メモ台２１は、金属製のパイプ２１ａに譜面台・メモ台用板２１ｂの一端が溶接によって取り付けられてなる。金属製のパイプ２１ａの一端は回転機構部２３の第２係止部２３２に取り付けられる。また、金属製のパイプ２１ａには、回転機構部２３のパイプ２３３を通すための孔２１ｃが設けられている。
【００２７】
図５は、譜面台・メモ台ユニット２０を譜面台として使用する場合における譜面台・メモ台ユニット２０の側面の外観を示す斜視図である。
【００２８】
譜面台・メモ台用板２１ｂは、一定の厚さを有する金属製の板であり、図２、３に示すように、メモ台として使用するために一面（メモ台用平面２１ｂ１）を平面形状とし、また、図１、５に示すように、譜面台として使用するために他の一面（譜面台用平面２１ｂ２）を平面形状とし、譜面台用平面２１ｂ２上に金属性の譜面積載板２１ｃを設けたものである。譜面台・メモ台用板２１ｂの大きさは、譜面台として使用する場合に譜面台用平面２１ｂ２上に譜面を載せることができる大きさが好ましい。なお、金属性の譜面積載板２１ｃの代わりに、譜面等を固定することができる、樹脂や木材等で構成される他の譜面固定手段を譜面台用平面２１ｂ２上に設けるようにしてもよい。また、本明細書においては、譜面について説明するが、譜面台用平面２１ｂ２上に載せるものは、譜面に限定されるわけではなく、書籍や他の資料等を載せるようにしてもよい。
【００２９】
アーム２２は、金属製のパイプを折り曲げてなり、左側脚部１２の前側の起立部１２ｂに対してアーム２２の下部固定部２２ａが溶接される。一方、アーム２２の上端部２２ｂの端部には回転機構部２３の第１係止部２３１の一側面が溶接によって取り付けられている。回転機構部２３は、第１係止部２３１と、第２係止部２３２と、金属製のパイプ２３３と、係止ねじ２３４とから構成されている。
【００３０】
第１係止部２３１は、金属製の円筒体からなり、アーム２２の上端部２２ｂが溶接された一側面の反対側面には突起２３１ａと突起２３１ｂとが設けられている。
【００３１】
第２係止部２３２は、金属製のパイプ２１ａの孔２１ｃと連通してパイプ２３３を通すための孔（図示せず）を有する金属製円筒体に突起２３１ａ及び突起２３１ｂの径とほぼ同じ径の４つの孔２３２ａ〜ｄを設けてなる。なお、図５に示すように、譜面台・メモ台２１をメモ台として使用する場合に、譜面台・メモ台２１が水平姿勢になるように、孔２３２ａ、２３２ｃを設ける。一方、譜面台・メモ台２１を譜面台として使用する場合に、譜面台・メモ台２１が２５°〜３５°の範囲内の傾斜姿勢になるように、孔２３２ｂ、２３２ｄを設ける。なお、譜面台・メモ台２１の傾斜面は、２０°〜４０°が好ましく、より好ましくは、２５°〜３５°であり、さらに好ましくは、２５°〜３０°であるが、譜面台用平面２１ｂ２上に譜面を載せることができる傾斜角度であれば、これらに限定するものではない。
【００３２】
金属製のパイプ２３３は、譜面台・メモ台２１の金属製のパイプ２１ａの孔２１ｃの内径とほぼ同じ外径を有する金属製のパイプである。また、第１係止部２３１の突起２３１ａと突起２３１ｂとが設けられた面と金属製のパイプ２３３の一の端部とが溶接によって取り付けられ、金属製のパイプ２３３の他の端部にはねじ穴２３３ａが設けられている。なお、金属製のパイプ２３３の軸方向の長さは、譜面台・メモ台２１の金属製のパイプ２１ａと第２係止部２３２との軸方向の長さの和とほぼ同じである。
【００３３】
このように構成することによって、金属製のパイプ２３３を覆うように金属製のパイプ２１ａを取り付けることができる。そして、金属製のパイプ２３３を軸として、譜面台・メモ台２１の金属製のパイプ２１ａを回動させることができる。
【００３４】
係止ねじ２３４は、譜面台・メモ台２１の金属製のパイプ２１ａが金属製のパイプ２３３から外れないように係止するねじであり、金属製のパイプ２３３のねじ穴２３３ａに取り付けられる。
【００３５】
次に、第１の実施の形態の椅子Ｃ１の動作について説明する。
最初に、譜面台・メモ台ユニット２０において、アーム２２に譜面台・メモ台２１を取り付ける場合の動作について説明する。
【００３６】
アーム２２に譜面台・メモ台２１を取り付ける場合、第２係止部２３２の孔（図示せず）にパイプ２３３を挿入し、さらに、譜面台・メモ台２１の金属製のパイプ２１ａの孔２１ｃにパイプ２３３を挿入する。
【００３７】
譜面台・メモ台ユニット２０をメモ台として使用する場合には、突起２３１ａと孔２３２ａとの位置と、突起２３１ｂと孔２３２ｃとの位置とが合うようにする。続いて、突起２３１ａと突起２３１ｂとが設けられている第１係止部２３１の面と、パイプ２１ａが取り付けられている第２係止部２３２の面の反対側の面とが接する位置まで金属製のパイプ２１ａを押し込み、突起２３１ａが孔２３２ａに嵌合し、突起２３１ｂが孔２３２ｃに嵌合するようにする。続いて、パイプ２３３のねじ穴２３３ａに係止ねじ２３４を嵌め込み、アーム２２に譜面台・メモ台２１が固定されるようにする。
【００３８】
一方、譜面台・メモ台ユニット２０を譜面台として使用する場合には、突起２３１ａが孔２３２ｄに嵌合し、突起２３１ｂが孔２３２ｂに嵌合するようにし、その他の動作は、上記動作と同様である。つまり、回動機構部２３は、譜面台・メモ台用板が座部方向に延在して固定される第１の固定位置と、譜面台・メモ台用板２１ｂが回動中心に対して座部方向とは反対方向に延在して固定される第２の固定位置とを有し、前記第１の固定位置は、座部１３と、アーム２２と、前記回動中心とによって構成される演奏領域内に譜面台・メモ台用板２１ｂを実質的に水平姿勢に保持する位置とされ、前記第２の固定位置は前記回動中心よりも上側の領域において、譜面台・メモ台用板２１ｂが座部１３に対向する面を傾斜姿勢に保持する位置とされてなる。
【００３９】
次に、たとえば、リコーダーの講習会において、譜面台・メモ台ユニット２０が譜面台として使用するように椅子Ｃ１が設置され、受講者が椅子Ｃ１に座っている場合の動作について説明する。
【００４０】
この講習会において、受講中に受講者が教材にその内容をメモするために、譜面台・メモ台ユニット２０をメモ台として使用する場合、回転機構部２３の係止ねじ２３４を緩め、譜面台・メモ台２１を図４に示す矢印Ａの方向へ移動させ、孔２３２ｂから突起２３１ｂを外し、孔２３２ｄから突起２３１ａを外す。続いて、譜面台・メモ台２１を矢印Ｄ（図１、図５に示す）の方向に回動させ、突起２３１ａと孔２３２ａとの位置と、突起２３１ｂと孔２３２ｃとの位置とを合わせる。
【００４１】
続いて、譜面台・メモ台２１を図４に示す矢印Ｂの方向へ移動させ、突起２３１ａが孔２３２ａに嵌合し、突起２３１ｂが孔２３２ｃに嵌合するようにする。続いて、パイプ２３３のねじ穴２３３ａに係止ねじ２３４を嵌め込み、アーム２２と譜面台・メモ台２１とが固定されるようにする。続いて、メモする教材を譜面台・メモ台２１に置き、メモをすることができる。
【００４２】
このように、リコーダーの講習会において、教材にメモをする場合には、受講者が書き易い位置にメモ台を固定することができるので、教材にメモ書きをし易い。
【００４３】
一方、リコーダーの講習会において、譜面台・メモ台ユニット２０をメモ台として使用した後に、譜面台・メモ台ユニット２０を譜面台として使用する場合の動作は、上記の動作とほぼ同様の動作を行う。
【００４４】
このように、教材を見ながら受講者が演奏する場合には、受講者が見易い位置に教材を固定することができると共に、この教材がリコーダーの演奏の邪魔になることがないので、リコーダーの演奏がし易い。このため、リコーダーの講習会を効率的に行うことができる。
【００４５】
第１の実施の形態によれば、例えば、座った状態で演奏する楽器の講習等を受講する場合において、前記講習等の教材に講習の内容を書き込む場合には書き込みがし易く、また、上記教材を見ながら演奏をする場合には演奏をし易い。このため、楽器の講習会の効率を高めることができる。
【００４６】
なお、第１の実施の形態では、金属製の譜面台・メモ台ユニット２０について説明したが、金属の代わりに、一体成型した強化プラスチック等を使用するようにしてもよい。また、アーム２２については、上記で示した位置に譜面台・メモ台２１を設けることができる形状や材質であれば、上記で示した形状や材質以外の形状や材質にするようにしてもよい。また、第１の実施の形態では、アーム２２の下部固定部２２ａを前側の起立部１２ｂに溶接によって取り付けているが、前側パイプ１３ａやその他の椅子本体１０の部分に下部固定部２２ａを、溶接やリベット締め等で取り付けるようにしてもよい。また、アーム２２を椅子本体１０の右側に設けるようにしてもよい。
また、第２係止部２３２に４つの孔を設けたが、複数の角度の設定ができるように、６以上の孔を設けるようにしてもよく、孔と突起との組み合わせを奇数にしてもよい。
【００４７】
［第２の実施の形態］
図６〜９は、本発明の第２の実施の形態である椅子Ｃ２の外観を示す斜視図である。図６は、譜面台・メモ台ユニット１２０をメモ台として使用する場合における椅子Ｃ２の外観を示す斜視図であり、図７〜９は、譜面台・メモ台ユニット１２０を変形させた場合における椅子Ｃ２の外観を示す斜視図である。
【００４８】
椅子Ｃ２は、椅子本体１０と、椅子本体１０に取り付けられた譜面台・メモ台ユニット１２０とを有する。
【００４９】
椅子本体１０は、第１の実施の形態に係る椅子本体１０と同様のものである。このため、椅子本体１０と同様の箇所には、第１の実施の形態で示した符号と同じ符号を付し、これらの説明は省略する。
【００５０】
譜面台・メモ台ユニット１２０は、譜面台・メモ台１２１と、譜面台・メモ台１２１を支持するアーム１２２と、譜面台・メモ台１２１とアーム１２２との間に構成されている回転機構部１２３と、左側取付金具３１と、右側取付金具３２とを有する。
【００５１】
図１２〜１４は、椅子Ｃ２を裏返した状態における座部１３の裏面を示す斜視図である。
【００５２】
左側取付金具３１は、アーム１２２を椅子本体１０に取付けるためのＬ字型の取付金具であり、１の面には、ねじを通すための４つの孔が設けられ、この面と垂直な面の略中央には、アーム１２２を通すための孔３１ｅが設けられ、この孔３１ｅを挟むように、ストッパ３１ｃとストッパ３１ｄとが設けられている。なお、孔３１ｅの径は、アーム１２２の下端部１２２ｃの断面形状の外径とほぼ同じである。ねじ３１ａ１とねじ３１ａ２とによって左側取付金具３１と固定金具３１ａとが前側パイプ１３ａに固定され、ねじ３１ｂ１とねじ３１ｂ２とによって左側取付金具３１と固定金具３１ｂとが後側パイプ１３ｂに固定されている。
【００５３】
右側取付金具３２は、ストッパ３１ｃとストッパ３１ｄとが設けられていない点以外の構成は、左側取付金具３１と同様である。
【００５４】
アーム１２２は、金属製のパイプを略コの字型に折り曲げてなり、左側取付金具３１の孔３１ｅと右側取付金具３２の孔３２ｅとにアーム１２２の下端部１２２ｃが嵌入された状態で、下端部１２２ｃにアーム係止部１２２ｄとアーム係止部１２２ｅとが取付けられる。下端部１２２ｃにアーム係止部１２２ｄとアーム係止部１２２ｅとが取付けられることによって、アーム１２２が係止される。アーム係止部１２２ｅは、金属製の円筒体からなり、外周面上に設けられた孔にねじを埋め込むことによって、下端部１２２ｃに取付けられる。なお、アーム１２２は、左側脚部１２とパイプ１２ｃとに囲まれた領域を通して椅子本体１０に取り付けられる。
【００５５】
図１６は、ストッパ３１ｃとストッパ３１ｄとが設けられている左側取付金具３１の一面を示す正面図である。
アーム係止部１２２ｄは、金属製の円筒体からなり、外周面上に設けられた孔にねじ１２２ｄ２を埋め込むことによって、アーム１２２の下端部１２２ｃに取付けられる。また、図１６に示すように、外周面上に突起１２２ｄ１が設けられている。アーム１２２が回動する場合に、突起１２２ｄ１がストッパ３１ｃ又はストッパ３１ｄに衝突することによって、アーム１２２がそれ以上回動できない状態となり、アーム１２２の回動が停止する。つまり、アーム１２２は、ストッパ３１ｃとストッパ３１ｄとの間に突起１２２ｄ１が存在する範囲内において、回動させることができる。ストッパ３１ｃは、２つのねじによって左側取付金具３１に取付けられたストッパ取付金具３１ｃ１と、ストッパ取付金具３１ｃ１に取付けられた調整ねじ３１ｃ２とからなり、調整ねじ３１ｃ２によって、アーム１２２の回動範囲を調整することができる。ストッパ３１ｄもストッパ３１ｃと同様である。
【００５６】
第２の実施の形態に係る譜面台・メモ台ユニット１２０において、回転機構部１２３については、第１の実施の形態に係る椅子Ｃ１の第１係止部２３１と第２係止部２３２以外の部分は、椅子Ｃ１と同じであるので、第１係止部２３１と第２係止部２３２以外の部分についての説明を省略する。
【００５７】
図１０は、譜面台・メモ台ユニット１２０において、譜面台・メモ台１２１を取り外した場合における回転機構部１２３の詳細を示す分解斜視図である。
【００５８】
図１１は、譜面台・メモ台ユニット１２０をアーム１２２から取り外した場合における譜面台・メモ台ユニット１２０の譜面台側の外観を示す斜視図である。
【００５９】
譜面台・メモ台用板１２１ｂは、一定の厚さを有するＬ字型の金属製の板であり、図１０に示すように、メモ台として使用するために一面（メモ台用平面１２１ｂ１）を平面形状とし、また、図１１に示すように、譜面台として使用するために他の一面（譜面台用平面１２１ｂ２）を平面形状とし、譜面台用平面１２１ｂ２上に金属性の譜面積載板１２１ｃが形成されたものである。
【００６０】
譜面台・メモ台１２１は、断面形状が四角である金属製のパイプ１２１ａの一の面にＬ字型の譜面台・メモ台用板１２１ｂの一の面の一部が溶接によって取り付けられてなる。金属製のパイプ１２１ａの一端は回転機構部１２３の第２係止部１２３２に取り付けられている。また、金属製のパイプ１２１ａには、回転機構部１２３のパイプ１２３３を通すための孔１２１ｃが設けられている。
回転機構部１２３は、第１係止部１２３１と、第２係止部１２３２と、金属製のパイプ１２３３と、係止ねじ１２３４とから構成されている。
【００６１】
第１係止部１２３１は、金属製の円筒体からなり、アーム１２２の上端部１２２ｂが溶接された一側面の反対側面には図１０、１１に示す係止部１２３１ａが設けられている。
【００６２】
第２係止部１２３２は、金属製のパイプ１２１ａの孔１２１ｃと連通してパイプ１２３３を通すための孔１２３２ｅを有する金属製円筒体に、譜面台・メモ台１２１の回動範囲を設定する突起１２３２ａが設けてなる。
【００６３】
金属製のパイプ１２３３は、譜面台・メモ台１２１の金属製のパイプ１２１ａの孔１２１ｃの１つの辺の長さとほぼ同じ外径を有する金属製のパイプである。また、第１係止部１２３１の係止部１２３１ａが設けられた面と金属製のパイプ１２３３の一の端部とが溶接によって取り付けられ、金属製のパイプ１２３３の他の端部にはねじ穴１２３３ａが設けられている。なお、金属製のパイプ１２３３の軸方向の長さは、譜面台・メモ台１２１の金属製のパイプ１２１ａと第２係止部１２３２との軸方向の長さの和とほぼ同じである。つまり、係止ねじ１２３４を締めた状態で、譜面台・メモ台１２１を回動させることができる。なお、係止ねじ１２３４を締めた状態では、譜面台・メモ台１２１が回動できないように固定するようにしてもよい。
【００６４】
このように構成することによって、金属製のパイプ１２３３を覆うように金属製のパイプ１２１ａを取り付けることができる。そして、金属製のパイプ１２３３を軸として、譜面台・メモ台１２１の金属製のパイプ１２１ａを回動させることができる。
【００６５】
係止ねじ１２３４は、譜面台・メモ台１２１の金属製のパイプ１２１ａが金属製のパイプ１２３３から外れないように係止するねじであり、金属製のパイプ１２３３のねじ穴２３３ａに取り付けられる。
【００６６】
次に、第２の実施の形態の椅子Ｃ２の動作について説明する。
最初に、譜面台・メモ台ユニット１２０において、アーム１２２に譜面台・メモ台１２１を取り付ける場合の動作について説明する。
【００６７】
アーム１２２に譜面台・メモ台１２１を取り付ける場合、第２係止部１２３２の孔１２３２ｅにパイプ１２３３を挿入し、さらに、譜面台・メモ台１２１の金属製のパイプ１２１ａの孔１２１ｃにパイプ１２３３を挿入する。
【００６８】
係止部１２３１ａと係止部１２３２ａとの位置が重ならないようにして、係止部１２３１ａが設けられている第１係止部１２３１の面と、係止部１２３２ａが設けられている第２係止部１２３２の面とが接する位置まで金属製のパイプ１２１ａを押し込む。続いて、パイプ１２３３のねじ穴２３３ａに係止ねじ１２３４を嵌め込む。
【００６９】
次に、たとえば、リコーダーの講習会において、譜面台・メモ台ユニット１２０が譜面台として使用するように椅子Ｃ２が設置され、受講者が椅子Ｃ２に座っている場合の動作について説明する。
【００７０】
図１５は、譜面台・メモ台ユニット１２０を譜面台として使用するように設置された椅子Ｃ２に人Ｐ１が座り、楽器Ｇ１を演奏している状態の一例を示す図である。楽器Ｇ１は、クラリネット、リコーダー等の楽器である。
【００７１】
この講習会において、受講中に受講者が教材にその内容をメモするために、譜面台・メモ台ユニット１２０をメモ台として使用する場合、譜面台・メモ台ユニット１２０の譜面台用平面１２１ｂ２上に載せてある教材を一旦取り上げ、譜面台・メモ台１２１を矢印Ｄ（図１５に示す）の方向に回動させる。譜面台・メモ台１２１を矢印Ｄの方向に回動させていくと、第１係止部１２３１の係止部１２３１ａと、第２係止部１２３２の突起１２３２ａとが、衝突した位置（図６に示す）で、譜面台・メモ台１２１が停止する。続いて、メモする教材を譜面台・メモ台１２１に置き、メモをすることができる。
【００７２】
このように、リコーダーの講習会において、教材にメモをする場合には、受講者が書き易い位置にメモ台を固定することができるので、教材にメモ書きをし易い。
【００７３】
一方、リコーダーの講習会において、譜面台・メモ台ユニット１２０をメモ台として使用した後に、譜面台・メモ台ユニット１２０を譜面台として使用する場合の動作は、上記の動作とほぼ同様の動作を行う。
図１５に示すように、譜面台・メモ台ユニット１２０を譜面台として使用する場合には、座部とアーム１２２と譜面台・メモ台１２１の回動中心とによって構成される楽器Ｇ１の演奏領域に、楽器Ｇ１の演奏の邪魔になるものが存在しない。このため、人Ｐ１が譜面台・メモ台１２１に載せられた譜面を見ながら楽器Ｇ１を演奏する場合に、演奏をしやすい。また、演奏領域を構成するアーム１２２は、座部１３の側縁の座部前後方向に対する延長線上よりも外側に設けられ、さらに前記演奏領域を構成する前記回動中心は、座部１３の前側縁の座部前後方向に対する左右方向の延長線上よりも外側に所要間隔をおいて設けられているので、演奏中に人Ｐ１の肘が、アーム１２２に当ることがなく、楽器Ｇ１を演奏する場合に、演奏をしやすい。つまり、上記各実施の形態に係る椅子によれば、演奏中に、椅子に座った人に対して前方に存在する演奏領域と、この人の両脇に存在する演奏領域とに、演奏の邪魔になるものが存在しないので、演奏を効率的に行うことができる。
また、譜面台・メモ台ユニット１２０をメモ台として使用する場合には、前記演奏領域に、譜面台・メモ台１２１を設け、メモをすることができるので、メモを取り易い。なお、演奏領域は、楽器を用いて演奏を行う用に本願発明の椅子を供する場合にのみ固有に観念される領域ではない。すなわち演奏領域の文言は本願発明に係る椅子の使用態様の中で、楽器演奏の用に本願発明に係る椅子を供する場合を代表的使用態様として観念される文言である。したがって、本願発明に係る椅子を使用して読書等をする場合に、楽器演奏が行われないという意味で本願発明に係る椅子における演奏領域は存在しないと理解されるものではない。換言すれば、本願発明に係る椅子を読書等の用に供する場合であっても、一方で楽器演奏の用に供する場合にはやはり演奏領域は観念することができる。その意味では本願発明に係る椅子を他の用途に使用する場合一般に適用するために、例えば「活動領域」として本願発明の椅子の演奏領域を観念することが妨げられるものではない。
【００７４】
また、リコーダーの講習会において、譜面台・メモ台ユニット１２０をメモ台または譜面台として使用した後に、譜面台・メモ台ユニット１２０を使用する必要がなくなった場合の動作について説明する。
【００７５】
この講習会において、譜面台・メモ台ユニット１２０をメモ台または譜面台として使用した後に、教材を見る必要がなくなった場合、譜面台・メモ台１２１上に載せてある教材を取り上げ、椅子に座っていた人が一旦椅子から立ち上がり、譜面台・メモ台１２１又はアーム１２２を持ち、譜面台・メモ台１２１とアーム１２２と回転機構部１２３とを矢印Ｅ（図６に示す）の方向に移動させる。譜面台・メモ台１２１等を矢印Ｅの方向に回動させていくと、アーム係止部１２２ｄの外周面上に設けられた突起１２２ｄ１が、ストッパ３１ｄに衝突し、この衝突した位置（図７〜９に示す位置）で、譜面台・メモ台１２１等が停止する。この状態では、第２係止部１２３２の突起１２３２ａが、第１係止部１２３１の係止部１２３１ａの回動範囲内にあるので、図７〜９に示すように、譜面台・メモ台１２１がほぼ垂直になるように停止する。
また、アーム係止部１２２ｅのねじを緩め、アーム１２２の下端部１２２ｃからアーム係止部１２２ｅを取り外し、左側取付金具３１と右側取付金具３２とからアーム１２２の下端部１２２ｃを取り外すことによって、譜面台・メモ台ユニット１２０を椅子本体１０から、取り外すことができる。これによって、譜面台・メモ台ユニット１２０を使用しない場合には、椅子本体１０のみを使用することができる。
また、複数の椅子本体１０を重ねる場合に、右側脚部１１に設けられた金属製のパイプ１１ｃと、左側脚部１２に設けられた金属製のパイプ１２ｃとが存在するので、左側取付金具３１と右側取付金具３２とが、他の椅子本体の座部に当ることがない。このため、左側取付金具３１と右側取付金具３２とを取付けた状態で椅子本体１０を重ねても、通常の椅子を重ねた場合と同様に重ねることができる。
【００７６】
このように、リコーダーの講習会において、教材が使わない状況になった場合には、譜面台・メモ台を受講者の邪魔にならない位置に配置することができるので、受講者が受講を受け易い。
【００７７】
また、教材を見ながら受講者が演奏する場合には、受講者が見易い位置に教材を固定することができると共に、この教材がリコーダーの演奏の邪魔になることがないので、リコーダーの演奏がし易い。このため、リコーダーの講習会を効率的に行うことができる。
【００７８】
上記各実施の形態によれば、例えば、座った状態で演奏する楽器の講習等を受講する場合において、前記講習等の教材に講習の内容を書き込む場合には書き込みがし易く、また、上記教材を見ながら演奏をする場合には演奏をし易い。このため、楽器の講習会の効率を高めることができる。
【００７９】
なお、上記各実施の形態では、金属製の譜面台・メモ台ユニットについて説明したが、金属の代わりに、一体成型した強化プラスチック等を使用するようにしてもよい。たとえば、譜面台・メモ台については一体成型した強化プラスチックを使用することが考えられる。また、アームについては、上記で示した位置に譜面台・メモ台を設けることができる形状や材質であれば、上記で示した形状や材質以外の形状や材質にするようにしてもよく、長さの変更が可能な構成とするようにしてもよい。
【産業上の利用可能性】
【００８０】
本発明を、背凭れを有さない、座部と脚部とを有する椅子や、折り畳み式の椅子等の椅子に活用することができる。
【図面の簡単な説明】
【００８１】
【図１】椅子Ｃ１の外観を示す斜視図。
【図２】椅子Ｃ１の外観を示す斜視図。
【図３】椅子Ｃ１の外観を示す斜視図。
【図４】譜面台・メモ台ユニット２０において、譜面台・メモ台２１を取り外した場合における回転機構部２３の詳細を示す分解斜視図。
【図５】譜面台・メモ台ユニット２０を譜面台として使用する場合における譜面台・メモ台ユニット２０の側面の外観を示す斜視図。
【図６】椅子Ｃ２の外観を示す斜視図。
【図７】椅子Ｃ２の外観を示す斜視図。
【図８】椅子Ｃ２の外観を示す斜視図。
【図９】椅子Ｃ２の外観を示す斜視図。
【図１０】譜面台・メモ台ユニット１２０において、譜面台・メモ台１２１を取り外した場合における回転機構部１２３の詳細を示す分解斜視図。
【図１１】譜面台・メモ台ユニット１２０をアーム１２２から取り外した場合における譜面台・メモ台ユニット１２０の譜面台側の外観を示す斜視図。
【図１２】椅子Ｃ２を裏返した状態における座部１３の裏面を示す斜視図。
【図１３】椅子Ｃ２を裏返した状態における座部１３の裏面を示す斜視図。
【図１４】椅子Ｃ２を裏返した状態における座部１３の裏面を示す斜視図。
【図１５】譜面台・メモ台ユニット１２０を譜面台として使用するように設置された椅子Ｃ２に人Ｐ１が座っている状態を示す図。
【図１６】ストッパ３１ｃとストッパ３１ｄとが設けられている左側取付金具３１の一面を示す正面図である。
【符号の説明】
【００８２】
Ｃ１、Ｃ２…椅子、
１０…椅子本体、
１１…右側脚部、
１２…左側脚部、
１３…座部、
１４…背凭れ部、
２０…譜面台・メモ台ユニット、
２１…譜面台・メモ台、
２２…アーム、
２３…回転機構部。
【要約】
【課題】  座った状態で演奏する楽器の講習等を受講する場合において、前記講習等の教材に講習の内容を書き込む場合には書き込みがし易く、また、上記教材を見ながら演奏をする場合には演奏をし易い椅子を提供することを目的とする。
【解決手段】  譜面台・メモ台用板が座部方向に延在して固定される第１の固定位置と、前記譜面台・メモ台用板が前記回動中心に対して前記座部方向とは反対方向に延在して固定される第２の固定位置とを有する回動機構部を有し、前記第１の固定位置は、前記座部と、前記支持部と、前記回動中心とによって構成される演奏領域内に前記譜面台・メモ台用板を実質的に水平姿勢に保持する位置とされ、前記第２の固定位置は前記回動中心よりも上側の領域において、前記譜面台・メモ台用板が前記座部に対向する面を傾斜姿勢に保持する位置とされてなる椅子。
【選択図】  図１５
【図１】
0003709887.tif 000002
【図２】
0003709887.tif 000003
【図３】
0003709887.tif 000004
【図４】
0003709887.tif 000005
【図５】
0003709887.tif 000006
【図６】
0003709887.tif 000007
【図７】
0003709887.tif 000008
【図８】
0003709887.tif 000009
【図９】
0003709887.tif 000010
【図１０】
0003709887.tif 000011
【図１１】
0003709887.tif 000012
【図１２】
0003709887.tif 000013
【図１３】
0003709887.tif 000014
【図１４】
0003709887.tif 000015
【図１５】
0003709887.tif 000016
【図１６】
0003709887.tif 000017